(57)【要約】【課題】天井だけでなく側壁の距離に応じて、ストロボ光により被写体を良好に照射することができるストロボ装置および撮像装置を提供する。【解決手段】ストロボ光を反射させる天井Ｈ１や側壁Ｈ２、Ｈ３からなる反射体に向けて照射することで、ストロボ光の反射光を間接的に被写体に照射してバウンス撮影を行うことが可能なストロボ装置１０である。被写体と、天井Ｈ１と、左側壁Ｈ２および右側壁Ｈ３の少なくとも一方の側壁と、のそれぞれの距離を測定可能な測距部を備え、制御部は、天井Ｈ１、または、左側壁Ｈ２および右側壁Ｈ３の少なくとも一方の側壁との何れかからなる主反射体の距離と、主反射体以外の反射体の距離との、被写体以外の複数の距離に基づいて、発光部１３の角度がバウンス角度となるように駆動部を制御する。【選択図】図１４
2020122845.tif 000002
【特許請求の範囲】
【請求項１】
ストロボ本体と、該ストロボ本体に対して上下方向、前後方向および左右方向の３次元の方向に回転可能に連結された発光部と、ストロボ本体に対する発光部の角度姿勢を変更する可変機構と、該可変機構を駆動する駆動部と、該駆動部を制御する制御部とを備え、ストロボ光を反射させる天井や側壁からなる反射体に向けて照射することで、ストロボ光の反射光を間接的に被写体に照射してバウンス撮影を行うことが可能なストロボ装置であって、
被写体と、天井と、左側壁および右側壁の少なくとも一方の側壁と、のそれぞれの距離を測定可能な測距部を備え、
制御部は、天井、または、左側壁および右側壁の少なくとも一方の側壁との何れかからなる主反射体の距離と、主反射体以外の反射体の距離との、被写体以外の複数の距離に基づいて、発光部の角度がバウンス角度となるように駆動部を制御することを特徴とするストロボ装置。
【請求項２】
測距部は、被写体と、天井と、左側壁と、右側壁と、のそれぞれの距離を測定可能とされ、
制御部は、天井までの距離よりも一方の側壁までの距離が小さく、天井までの距離よりも他方の側壁までの距離が大きい場合に、発光部が天井における他方の側壁側に傾くように駆動部を制御することを特徴とする請求項１に記載のストロボ装置。
【請求項３】
制御部は、天井までの距離よりも一方の側壁までの距離が小さく、天井までの距離よりも他方の側壁までの距離が大きい場合に、発光部による天井の照射位置が、天井までの距離と一方の側壁までの距離との差の寸法分だけ他方の側壁側に傾くように駆動部を制御することを特徴とする請求項２に記載のストロボ装置。
【請求項４】
測距部は、被写体と、天井と、左側壁と、右側壁と、のそれぞれの距離を測定可能とされ、
制御部は、天井までの距離よりも一方の側壁および他方の側壁までのそれぞれの距離が小さい場合に、発光部が、天井における両側壁から同じ距離となる箇所に向くように駆動部を制御することを特徴とする請求項１に記載のストロボ装置。
【請求項５】
測距部は、被写体と、天井と、左側壁と、右側壁と、のそれぞれの距離を測定可能とされ、
制御部は、両側の側壁までの距離がともに天井までの距離以上である場合または大きい場合に、発光部を、左右に傾けることなく、天井側に向くように駆動部を制御することを特徴とする請求項１に記載のストロボ装置。
【請求項６】
測距部は、被写体と、天井と、左側壁および右側壁における一方の側壁と、のそれぞれの距離を測定し、
制御部は、天井までの距離よりも一方の側壁までの距離が大きい場合には、発光部が左右に傾けることなく天井に向くように駆動部を制御し、天井までの距離よりも一方の側壁までの距離が小さい場合には、発光部が天井における一方の側壁とは反対側の側壁側に傾くように駆動部を制御することを特徴とする請求項１に記載のストロボ装置。
【請求項７】
制御部は、天井までの距離よりも一方の側壁までの距離が小さい場合に、発光部が天井における、天井までの距離と一方の側壁までの距離との差の寸法分だけ天井の照射位置が他方の側壁側に傾くように駆動部を制御することを特徴とする請求項６に記載のストロボ装置。
【請求項８】
測距部は、左側壁または右側壁からなる主反射体の距離と、天井からなる副反射体の距離と、を測定し、
制御部は、一方の側壁までの距離と天井までの距離とに応じて、発光部が左側壁または右側壁において天井側にも傾けることができるように駆動部を制御することを特徴とする請求項１に記載のストロボ装置。
【請求項９】
制御部は、天井までの距離が一方の側壁までの距離より小さい場合に、発光部が一方の側壁において天井側にも傾くように駆動部を制御することを特徴とする請求項８に記載のストロボ装置。
【請求項１０】
請求項１〜９の何れか１項に記載のストロボ装置を備えることを特徴とする撮像装置。
【発明の詳細な説明】
【技術分野】
【０００１】
本発明は、撮像装置に装着され、発光部の角度姿勢を変更可能なストロボ装置（照射方向角度可変式のストロボ装置）、および、このストロボ装置を備えた撮像装置、に関する。
【背景技術】
【０００２】
従来から、より自然な画像を得るために、ストロボ装置の発光部からストロボ光を天井や壁などの反射体に照射して拡散させ、被写体を間接的に照明して撮影するバウンス撮影が行われている。バウンス撮影では、発光部の照射面を被写体とは正対させず、天井や壁などの反射体のある所望の方向に向けて撮影する。
【０００３】
そして、発光部が常に反射体のある方向に向いてストロボ光を照射できるように、ストロボ装置の制御部は、撮影レンズの光軸方向である撮影方向とストロボ光を照射する照射方向（反射体のある所望の方向）とのなすバウンス角度を自動的に制御する（特許文献１、２など参照）。この特許文献１、２に記載されているストロボ装置や撮像装置は、天井と被写体とのそれぞれに（あるいは片側の側壁（右側壁または左側壁）と被写体とのそれぞれに）撮像装置の撮像レンズを向けて、オートフォーカスなどにより測距（距離を測定）して、それらの距離に基づいてバウンス角度を設定している。
【０００４】
また、特許文献２には、バウンス撮影をさせる反射体が天井の代わりに側壁（左側壁または右側壁）である場合も、モードを切り替えることでバウンス撮影をさせることができるストロボ装置が記載されている。
【先行技術文献】
【特許文献】
【０００５】
【特許文献１】特開２００９−１６３１７９号公報
【特許文献２】特開２０１４−３８２６８号公報
【発明の概要】
【発明が解決しようとする課題】
【０００６】
しかしながら、前記特許文献１、２に開示されているストロボ装置や撮像装置では、天井または片側の側壁（右側壁または左側壁）といった１つの面の反射体だけで反射することを想定して、バウンス角度を設定している。したがって、例えば、被写体に対して天井だけでなく片側の側壁（右側壁または左側壁）も接近している場合には、単に天井側に向けて傾斜させながら（すなわち、左右には傾斜させない状態で）発光させると、ストロボ光が、天井だけでなく、被写体に近い側壁（両側の側壁または一方の側壁（右側壁あるいは左側壁））によっても強く反射するため、被写体に照射される光が左側または右側に偏った状態でバウンス撮影されてしまう。したがって、被写体を良好に照射することができないおそれがあった。
【０００７】
本発明は上記課題を解決するもので、天井だけでなく側壁の距離に応じて、ストロボ光により被写体を良好に照射することができるストロボ装置および撮像装置を提供することを目的とするものである。
【課題を解決するための手段】
【０００８】
上記課題を解決するために、本発明のストロボ装置は、ストロボ本体と、該ストロボ本体に対して上下方向、前後方向および左右方向の３次元の方向に回転可能に連結された発光部と、ストロボ本体に対する発光部の角度姿勢を変更する可変機構と、該可変機構を駆動する駆動部と、該駆動部を制御する制御部とを備え、ストロボ光を反射させる天井や側壁からなる反射体に向けて照射することで、ストロボ光の反射光を間接的に被写体に照射してバウンス撮影を行うことが可能なストロボ装置であって、被写体と、天井と、左側壁および右側壁の少なくとも一方の側壁と、のそれぞれの距離を測定可能な測距部を備え、制御部は、天井、または、左側壁および右側壁の少なくとも一方の側壁との何れかからなる主反射体の距離と、主反射体以外の反射体の距離との、被写体以外の複数の距離に基づいて、発光部の角度がバウンス角度となるように駆動部を制御することを特徴とする。
【０００９】
この構成によれば、制御部により、天井、または、左側壁および右側壁の少なくとも一方の側壁との何れかからなる主反射体の距離と、主反射体以外の反射体の距離との、被写体以外の複数の距離に基づいて、発光部の角度が適したバウンス角度となるように駆動部を制御するので、天井などの主反射体だけでなく、その他の反射体の反射度合いが被写体に対して均等になるように調整しながら、ストロボ光により被写体を良好に照射することが可能となる。
【００１０】
また、本発明のストロボ装置は、測距部は、被写体と、天井と、左側壁と、右側壁と、のそれぞれの距離を測定可能とされ、制御部は、天井までの距離よりも一方の側壁までの距離が小さく、天井までの距離よりも他方の側壁までの距離が大きい場合に、発光部が天井における他方の側壁側に傾くように駆動部を制御することを特徴とする。
【００１１】
この構成によれば、左右に傾けることなく天井にストロボ光を反射させた場合と比較して、天井よりも近い一方の側壁による反射量を低減させるとともに、天井よりも遠い他方の側壁による反射量を増加させることができる。この結果、一方の側壁と他方の側壁との反射度合いが被写体に対して均等になるように調整されて、ストロボ光により被写体を良好に照射することが可能となる。
【００１２】
また、本発明のストロボ装置は、制御部は、天井までの距離よりも一方の側壁までの距離が小さく、天井までの距離よりも他方の側壁までの距離が大きい場合に、発光部による天井の照射位置が、天井までの距離と一方の側壁までの距離との差の寸法分だけ他方の側壁側に傾くように駆動部を制御することを特徴とする。
【００１３】
この構成によれば、天井までの距離よりも一方の側壁までの距離が小さいほど、発光部による天井の照射位置を他方の側壁側に大きく傾けることとなるため、一方の側壁と他方の側壁との反射度合いが被写体に対して均等になるように、より良好に調整されて、ストロボ光により被写体を良好に照射することが可能となる。
【００１４】
また、本発明のストロボ装置は、測距部は、被写体と、天井と、左側壁と、右側壁と、のそれぞれの距離を測定可能とされ、制御部は、天井までの距離よりも一方の側壁および他方の側壁までのそれぞれの距離が小さい場合に、発光部が、天井における両側壁から同じ距離となる箇所に向くように駆動部を制御することを特徴とする。
【００１５】
この構成によれば、天井までの距離よりも一方の側壁および他方の側壁までのそれぞれの距離が小さい場合でも、左右に傾けることなく天井にストロボ光を反射させた場合と比較して、一方の側壁と他方の側壁との反射度合いが被写体に対して均等になるように、より良好に調整されて、ストロボ光により被写体を良好に照射することが可能となる。
【００１６】
また、本発明のストロボ装置は、測距部は、被写体と、天井と、左側壁と、右側壁と、のそれぞれの距離を測定可能とされ、制御部は、両側の側壁までの距離がともに天井までの距離以上である場合または大きい場合に、発光部を、左右に傾けることなく、天井側に向くように駆動部を制御することを特徴とする。
【００１７】
上記構成において、両側の側壁までの距離がともに天井までの距離以上である場合または大きい場合には、左右の側壁による反射の影響が少ないため、制御部により、発光部を、左右に傾けることなく、天井側に向くように駆動部を制御することで、ストロボ光により被写体を良好に照射することが可能となる。
【００１８】
また、本発明のストロボ装置は、測距部は、被写体と、天井と、左側壁および右側壁における一方の側壁と、のそれぞれの距離を測定し、制御部は、天井までの距離よりも一方の側壁までの距離が大きい場合には、発光部が左右に傾けることなく天井に向くように駆動部を制御し、天井までの距離よりも一方の側壁までの距離が小さい場合には、発光部が天井における一方の側壁とは反対側の側壁側に傾くように駆動部を制御することを特徴とする。
【００１９】
この構成によれば、片側の側壁までの距離だけを測定して、天井までの距離よりも一方の側壁までの距離が小さい場合だけ、発光部が天井における一方の側壁とは反対側の側壁側に傾けられ、ストロボ光により被写体を良好に照射することが可能となる。また、片方の側壁までの距離だけを測定するため、左側壁および右側壁の両側の距離を測定する場合よりも短い時間でバウンス撮影することができる。
【００２０】
また、本発明のストロボ装置は、制御部は、天井までの距離よりも一方の側壁までの距離が小さい場合に、発光部が天井における、天井までの距離と一方の側壁までの距離との差の寸法分だけ天井の照射位置が他方の側壁側に傾くように駆動部を制御することを特徴とする。
【００２１】
また、本発明のストロボ装置は、測距部は、左側壁または右側壁からなる主反射体の距離と、天井からなる副反射体の距離と、を測定し、制御部は、一方の側壁までの距離と天井までの距離とに応じて、発光部が左側壁または右側壁において天井側にも傾けることができるように駆動部を制御することを特徴とする。なお、この場合には、制御部が、一方の側壁までの距離よりも天井までの距離が小さい場合に、発光部が一方の側壁において天井側にも傾くように駆動部を制御すると好適である。
【００２２】
この構成によれば、主として、左側壁または右側壁にストロボ光を反射させてストロボ撮影する場合に、天井からの反射光を利用して、主に反射させる側の側壁と逆方向に被写体の影ができることを抑えながら、ストロボ光により被写体を良好に照射することが可能となる。
【００２３】
また、本発明の撮像装置は、前記ストロボ装置を備えることを特徴とする。この構成により、ストロボ光により被写体を良好に照射することが可能な撮像装置を得ることができる。
【発明の効果】
【００２４】
以上のように本発明によれば、ストロボ本体に対して３次元の方向に回転可能に連結された発光部を備え、バウンス撮影を行うことが可能なストロボ装置において、被写体と、天井と、左側壁および右側壁の少なくとも一方の側壁と、のそれぞれの距離を測定可能な測距部を備え、制御部は、天井、または、左側壁および右側壁の少なくとも一方の側壁との何れかからなる主反射体の距離と、主反射体以外の反射体の距離との、被写体以外の複数の距離に基づいて、発光部の角度がバウンス角度となるように駆動部を制御することにより、天井などの主反射体だけでなく、その他の反射体の反射度合いが被写体に対して均等になるように調整しながら、ストロボ光により被写体を良好に照射することが可能となる。
【図面の簡単な説明】
【００２５】
【図１】本発明の実施の形態に係るストロボ装置を備えた撮像装置の構成を示すブロック図
【図２】同ストロボ装置の側面図
【図３】同ストロボ装置の平面図
【図４】同ストロボ装置が設定可能な上下方向および前後方向の照射範囲を説明する図
【図５】同ストロボ装置が設定可能な左右方向の照射範囲を説明する図
【図６】同ストロボ装置を用いてバウンス撮影を行う室内を概念的に示す図
【図７】同ストロボ装置の被写体までの距離を測定している状態を示す側面図
【図８】同ストロボ装置の天井までの距離を測定している状態を示す側面図
【図９】同ストロボ装置の左側壁までの距離と、右側壁までの距離とを測定している状態を示す平面図
【図１０】同ストロボ装置の自動バウンスモード選択時の動作を示すフローチャート
【図１１】同ストロボ装置の背面図（このストロボ装置を背面側から前方に見た図）
【図１２】同ストロボ装置のバウンス撮影時の発光部の鉛直方向の角度を示す側面図
【図１３】同ストロボ装置のバウンス撮影時の発光部の鉛直方向の角度を示す側面図
【図１４】同ストロボ装置の、発光部から左側壁までの距離のみが天井までの距離より小さい場合における、バウンス撮影時の発光部の左右方向の角度を示す側面図
【図１５】同ストロボ装置の、発光部から右側壁までの距離のみが天井までの距離より小さい場合における、バウンス撮影時の発光部の左右方向の角度などを示す側面図
【図１６】同ストロボ装置の、発光部から左側壁までの距離と、発光部から右側壁までの距離との両方とも天井までの距離Ｌｂより小さい場合における、バウンス撮影時の発光部の左右方向の角度などを示す背面図
【図１７】同ストロボ装置の、バウンス撮影をするモード（バウンスモード）の選択動作を示すフローチャート
【図１８】同ストロボ装置の、片側側壁測距バウンスモードの動作を示すフローチャート
【図１９】同ストロボ装置の、片側側壁測距バウンスモードにおいて、発光部から左側壁までの距離が天井までの距離以上である場合を示す背面図
【図２０】同ストロボ装置の、発光部から左側壁までの距離が天井までの距離より小さい場合を示す背面図
【図２１】同ストロボ装置の、片側側壁測距バウンスモードにおいて、発光部から右側壁までの距離が天井までの距離以上である場合を示す背面図
【図２２】同ストロボ装置の、発光部から右側壁までの距離が天井までの距離より小さい場合を示す背面図
【図２３】同ストロボ装置の、側壁バウンスモードの動作を示すフローチャート
【図２４】同ストロボ装置の、側壁バウンスモードでの撮影状態を示す平面図
【図２５】同ストロボ装置の、側壁バウンスモードでの撮影状態を示す背面図
【図２６】同ストロボ装置の、側壁バウンスモードの変形例の動作を示すフローチャート
【発明を実施するための形態】
【００２６】
以下、本発明の実施の形態に係るストロボ装置およびこのストロボ装置を備えた撮像装置を、図面に基づき説明する。なお、ここで示す実施の形態はあくまでも一例であって、必ずしもこの実施の形態に限定されるものではない。
【００２７】
図１に示すように、本発明の実施の形態に係る撮像装置１は、被写体にストロボ光を照射するストロボ装置１０を装着可能である。撮像装置１は、被写体を撮影する撮影機能部３と、ストロボ装置１０および撮影機能部３を制御する制御部４と、被写体を撮影した画像などを表示する表示部５と、撮影条件の設定や電源を切り換えるための操作部６と、周辺機器との間で画像データなどを入出力するための周辺Ｉ／Ｆ（インターフェイス）７と、ストロボ装置１０を発光させて被写体を撮影するためにユーザ（撮影者）が操作するシャッタ８と、などを備えている。
【００２８】
図２および図３に示すように、ストロボ装置１０は、ストロボ本体１１と、ストロボ本体１１に対して上下方向、前後方向および左右方向の３次元の方向に回転可能に連結され、閃光放電管１２が収納されて外部へ発光する発光部１３と、ストロボ本体１１に対する発光部１３の角度姿勢を変更可能とする可変機構１４と、可変機構１４を駆動する駆動部１５と、ストロボ本体１１に対する発光部１３の角度を検出する角度検出部１６と、ストロボ装置１０を制御する制御部１７と、ストロボ本体１１に設けられ、各種設定値を入力したり各種モードを選択したりする操作部１８と、測距部としての距離センサ１９と、発光用電力を蓄積するコンデンサ（電力蓄積体）２０と、などを備えている。
【００２９】
ストロボ本体１１は、例えば略矩形状に形成された筐体である。このストロボ本体１１の上面側には、発光部１３を上下方向、前後方向および左右方向の３次元の方向に回転可能に連結している。また、撮像装置１の上面部にストロボ本体１１の下面部を連結可能に構成している。ストロボ本体１１は、正面が撮像装置１の撮影方向Ａ（撮像装置１に設けられている撮像レンズの光軸方向）を向くように撮像装置１に連結されている。
【００３０】
発光部１３は、例えば略矩形状に形成された筐体であり、一方の面に閃光放電管１２が発光した光を照射する開口部１３ａを備えている。発光部１３は、鉛直方向Ｂに対する開口部１３ａの傾斜角度姿勢を変更するなどして、ストロボ光の照射方向Ｃを変更可能に構成している。
【００３１】
図４および図５などに示すように、可変機構１４は、ストロボ本体１１と発光部１３とを前後方向、上下方向、および左右方向の３次元の方向に回転可能に連結している。具体的には、可変機構１４は、ストロボ本体１１の幅方向Ｄに沿って設けられる横軸Ｘを中心に鉛直方向（および前後方向）Ｂに回転可能な鉛直方向可変機構１４Ａと、ストロボ本体１１の上下方向Ｅ（高さ方向）に設けられる縦軸Ｙを中心に水平面内における左右方向（および前後方向）（水平方向とも称す）Ｆに回転可能な水平方向可変機構１４Ｂと、から構成されている。
【００３２】
図４に示すように、鉛直方向可変機構１４Ａは、鉛直方向Ｂにおける発光部１３の角度姿勢を変更可能に設けられている。より詳しくは、鉛直方向可変機構１４Ａは、通常照射方向角度（発光部１３が通常撮影位置Ｐ１にあるときの角度）と、ユーザによって設定され、通常の照射方向角度とは異なる所望の照射方向角度（発光部１３がバウンス撮影位置Ｐ２にあるときの角度）との間を含む範囲で鉛直方向Ｂにおける発光部１３の角度姿勢を変更可能に設けられている。本実施の形態においては、鉛直方向可変機構１４Ａは、鉛直方向１８０度の回転角度に回転できる構造を有している。但し、これに限るものではなく、鉛直方向可変機構１４Ａが、鉛直方向に１８０度よりも小さい回転角度に回転できる構造を有していたり、鉛直方向に１８０度よりも大きい回転角度に回転できる構造を有していたりしてもよい。
【００３３】
図５に示すように、水平方向可変機構１４Ｂは、水平方向Ｆにおける発光部１３の角度姿勢を変更可能に設けられている。本実施の形態においては、水平方向可変機構１４Ｂは、左右方向１８０度の回転角度に回転できる構造を有している。ただし、これに限るものではなく、水平方向可変機構１４Ｂが、水平方向に１８０度よりも若干小さい回転角度に回転できる構造を有していたり、水平方向に１８０度よりも大きい回転角度に回転できる構造を有していたりしてもよい。
【００３４】
図２および図３に示すように、駆動部１５は、鉛直方向可変機構１４Ａを駆動する鉛直方向駆動部１５Ａと、水平方向可変機構１４Ｂを駆動する水平方向駆動部１５Ｂと、を備えている。図３に示すように、鉛直方向駆動部１５Ａは、鉛直方向可変機構１４Ａを回転させる鉛直方向駆動モータにより構成されている。図２に示すように、水平方向駆動部１５Ｂは、水平方向可変機構１４Ｂを回転させる水平方向駆動モータにより構成されている。
【００３５】
図３に示すように、角度検出部１６は、発光部１３に設けられ、鉛直方向Ｂにおける発光部１３の角度を検出する鉛直方向角度検出部１６Ａと、水平方向Ｆにおける発光部１３の角度を検出する水平方向角度検出部１６Ｂとを備えている。鉛直方向角度検出部１６Ａは、例えば３軸加速度センサで構成されている。３軸加速度センサは、ＸＹＺ軸の３方向の加速度を検出することができるセンサである。本実施の形態に係る３軸加速度センサは、例えば静止時の重力加速度を検出することにより、鉛直方向Ｂにおける発光部１３の傾斜角度を検出している。水平方向角度検出部１６Ｂは、例えば、地磁気センサで構成されている。地磁気センサは、磁場（磁界）の大きさ・方向を検出することができるセンサである。本実施の形態に係る地磁気センサは、発光部１３が向いている方位を検出することにより、水平方向Ｆにおける発光部１３の傾斜角度を検出している。ただし、鉛直方向角度検出部１６Ａや水平方向角度検出部１６Ｂはこのような構成に限るものではなく、鉛直方向角度検出部１６Ａは発光部１３の鉛直方向の角度を検出できるものであればよく、水平方向角度検出部１６Ｂは発光部１３の水平方向の角度を検出できるものであればよい。
【００３６】
制御部１７は、各種演算処理を行う演算部２１と、各種情報を記憶する記憶部２２などを備えている。制御部１７は、例えばＣＰＵ（Central Processing Unit：中央処理装置）で構成され、記憶部２２は、ＣＰＵ内蔵のＲＡＭ（Random Access Memory）またはＲＯＭ（Read Only Memory）、あるいはＣＰＵに外部接続されたＲＡＭまたはＲＯＭなどで構成されている。
【００３７】
測距部としての距離センサ１９は、発光部１３と被写体Ｔとの間の距離Ｌａ（図７参照）を取得可能な第１の測距手段としての距離センサと、発光部１３と天井（第１の反射体）Ｈ１との間の距離Ｌｂ（図８参照）を取得可能な第２の測距手段としての距離センサと、発光部１３と左側壁（第２の反射体）Ｈ２との間の距離Ｌｃ（図９の実線部を参照）を取得可能な第３の測距手段としての距離センサと、発光部１３と右側壁（第３の反射体）Ｈ３との間の距離Ｌｄ（図９の仮想線部を参照）を取得可能な第４の測距手段としての距離センサと、を兼ねている。距離センサ１９は発光部１３に設けられている。この距離センサ１９では、発光部１３を被写体Ｔや各反射体（天井Ｈ１、左側壁Ｈ２、右側壁Ｈ３）にそれぞれ向けて、被写体Ｔや各反射体までの距離を測定するよう構成されている。このように、距離センサ１９は１つで、全ての測距手段を兼用することで、部品点数や製造コストを最小限に抑えることができる利点がある。
【００３８】
しかし、これに限るものではなく、第１〜第４の測距手段を別々に設けてもよい（すなわち、発光部１３と被写体Ｔとの間の距離Ｌａを測定する第１の距離センサと、発光部１３と天井（第１の反射体）Ｈ１との間の距離Ｌｂを測定する第２の距離センサと、発光部１３と左側壁（第２の反射体）Ｈ２との間の距離Ｌｃを測定する第３の距離センサと、発光部１３と右側壁（第３の反射体）Ｈ３との間の距離Ｌｄを測定する第４の距離センサと、の４つの距離センサを設けてもよい）。また、距離センサ１９としては、光学式センサや赤外線式センサ、超音波式（レーザ光式）センサなどを用いるとよいがこれに限るものではない。
【００３９】
距離センサ１９は、図７に示すように、発光部１３を被写体Ｔに向けたときの（詳しくは、天井（第１の反射体）Ｈ１と直交する方向（縦基準方向であり鉛直方向でもある）に対する発光部１３の角度が被写体角度θ１のときの）、発光部１３と被写体Ｔとの間の距離Ｌａを第１の距離情報として測距（距離を測定）する。また、距離センサ１９は、図８に示すように、発光部１３を天井（第１の反射体）Ｈ１に向けた（直交するように向けた）ときの（詳しくは、発光部１３の上記縦基準方向に対する角度が天井Ｈ１に向けた方向が角度θ２のときの）、発光部１３と天井（第１の反射体）Ｈ１との間の距離Ｌｂを第２の距離情報として測距する。また、距離センサ１９は、図９の実線部に示すように、発光部１３を左側壁（第２の反射体）Ｈ２に向けた（直交するように向けた）ときの（詳しくは、被写体Ｔが正面にある場合に、発光部１３を被写体Ｔに向けた方向（横基準方向）に対する角度がθ３のときの）、発光部１３と左側壁（第２の反射体）Ｈ２との間の距離Ｌｃを第３の距離情報として測距する。また、距離センサ１９は、図９の仮想線部に示すように、発光部１３を右側壁（第３の反射体）Ｈ３に向けたときの（詳しくは、発光部１３を右側壁Ｈ３に向けたときの発光部１３の横基準方向に対する角度がθ４のときの）、発光部１３と右側壁Ｈ３との間の距離Ｌｄを第４の距離情報として測距する。
【００４０】
図６に示すように、被写体Ｔは、天井Ｈ１、左側壁Ｈ２、右側壁Ｈ３の三つの反射体により囲まれた部屋（空間）にいる状態で撮影される。なお、図６では、撮像装置１と被写体Ｔとが分かり易いように互いに斜めになったように示しているが、これに限るものではなく、平面視して、撮像装置１が被写体Ｔの正面となるように向けて（平面視して、撮像装置１の正面（前方向）に被写体Ｔがある配置で）撮影される場合もある。
【００４１】
このストロボ装置１０は、左右の側壁Ｈ２、Ｈ３も含めながら天井Ｈ１を中心として（天井Ｈ１が主反射体である場合の）バウンス撮影を行う自動バウンスモード（被写体・天井・左右側壁測距モード）Ｓ１０での撮影を行うことができるよう構成されている。そして、操作部１８を操作することでこの自動バウンスモードＳ１０を選択可能に構成されている。また、バウンス撮影が有効となるような被写体Ｔや天井Ｈ１までの距離（有効最大距離）が予め設定されている。
【００４２】
自動バウンスモードが選択された際には、図１０に示すように、まず、測距部としての距離センサ１９により、被写体Ｔと、天井Ｈ１と、左側壁Ｈ２と、右側壁Ｈ３と、のそれぞれの距離（発光部１３からの距離）を測定（測距）する（ステップＳ１１〜Ｓ１４）。そして、ステップＳ１５において、被写体Ｔや天井Ｈ１までの距離が、予め設定されているバウンス撮影が有効となるような距離範囲（バウンス有効範囲）内であるかどうかをステップＳ１５で判定する。ステップＳ１５において、被写体Ｔや天井Ｈ１との少なくとも一方までの距離がバウンス有効範囲外である場合には、バウンス角度を設定することなく終了し、例えば、エラー表示などで被写体Ｔや天井Ｈ１との距離がバウンス有効範囲外である旨を伝達し、通常撮影のままとする。
【００４３】
ステップＳ１５において、被写体Ｔや天井Ｈ１までの距離がバウンス有効範囲内であると判定された場合には、ステップＳ１６に進んで、発光部１３から左側壁Ｈ２および右側壁Ｈ３までの距離Ｌｃ、Ｌｄが天井Ｈ１までの距離Ｌｂ以上であるかどうかを判定する。
【００４４】
ステップＳ１６において、発光部１３から左側壁Ｈ２および右側壁Ｈ３までの距離Ｌｃ、Ｌｄが天井Ｈ１までの距離Ｌｂ以上である場合には、ステップＳ１７に進んで、図１１（ストロボ装置１０の背面側から前方（被写体Ｔ側）を見た図）に示すように、発光部１３を、左右に傾けることなく、天井Ｈ１（上方）に向き（天井のＨ１の狙い位置を単なる上方に設定し）、かつ、被写体Ｔへの入射角度がバウンス撮影に適した傾斜設定角度で向くように演算し、この傾斜設定角度となるように駆動部１５を制御する（ステップＳ１８）。
【００４５】
すなわち、制御部１７の演算部２４が、被写体Ｔまでの距離Ｌａと天井Ｈ１までの距離Ｌｂの情報に基づいて、図１２または図１３に示すように、好適なバウンス角度θ５を演算する。バウンス角度θ５は、図１２に示すように、例えば、ストロボ光の天井（第１の反射体）Ｈ１への入射角と、天井Ｈ１から被写体Ｔへの出射角とが同じになるような角度とする（ステップＳ１８）。しかし、これに限るものではなく、図１３に示すように、被写体Ｔへの入射角度が所定の基準角度（例えば約３０度）θｋとなるようにバウンス角度θ５を決定してもよい。
【００４６】
なお、図１３に示すように、被写体Ｔへの入射角度が所定の基準角度（例えば約３０度）となるようにバウンス角度θ５を決定することにより、ストロボ光の天井Ｈ１への入射角と、天井Ｈ１から被写体Ｔへの出射角とが同じになるような角度とした場合よりも、どのような撮影環境でもバウンス撮影の効果を最大限に発揮できる利点がある。つまり、図１２に示すように、天井Ｈ１への入射角と反射角とが同じとなるように傾斜させた場合では、被写体Ｔや天井Ｈ１との距離Ｌａ、Ｌｂによって入射角度が可変となる。このように、距離Ｌａ、Ｌｂに応じて、入射角度が小さくなったり大きくなったりすると、バウンス撮影時の上方からの光の割合が変化するため、バウンス撮影の効果も変化する。被写体Ｔへの入射角が小さくなりすぎると、最悪の場合には直射に近い撮影結果となってしまい、バウンス撮影の効果が殆どなくなるおそれがある。これに対して、図１３に示すように、入射角度を常にバウンス撮影に最適と思われる傾斜角度となるように（例えば、被写体Ｔへの入射角度が基準傾斜角度である３０度となるように）制御することで、どのような撮影環境でもバウンス撮影の効果を最大限に発揮できる。
【００４７】
一方、発光部１３から左側壁Ｈ２までの距離Ｌｃのみが天井Ｈ１までの距離Ｌｂより小さい場合、すなわち、発光部１３から左側壁Ｈ２までの距離Ｌｃが天井Ｈ１までの距離Ｌｂより小さく、かつ、発光部１３から右側壁Ｈ３までの距離Ｌｄが天井Ｈ１までの距離Ｌｂより大きい場合には、ステップＳ１６からステップＳ１９、Ｓ２０に進んで、左右方向に対しては、図１４に示すように、発光部１３が天井Ｈ１における右側壁Ｈ３側に傾くように駆動部１５を制御する。なお、発光部１３から左側壁Ｈ２までの距離Ｌｃが天井Ｈ１までの距離Ｌｂより小さく、発光部１３から右側壁Ｈ３までの距離Ｌｄが天井Ｈ１までの距離Ｌｂと同じである場合でも、同様にステップＳ１９、Ｓ２０に進んで、発光部１３が天井Ｈ１における右側壁Ｈ３側に傾くように駆動部１５を制御してもよい。
【００４８】
このように、発光部１３から左側壁Ｈ２までの距離Ｌｃのみが天井Ｈ１までの距離Ｌｂより小さい場合に、ステップＳ２０に示すように、発光部１３による天井Ｈ１の照射位置が、天井Ｈ１までの距離Ｌｂと左側壁Ｈ２までの距離Ｌｃとの差の寸法分だけ右側壁Ｈ３側に傾くように（左右方向のバウンス角度θ４に傾斜するように）駆動部１５を制御すると、より好適である。なお、この際、上下方向のバウンス角度θ５については、上記のように、図１２または図１３に示すように、好適なバウンス角度θ５を演算してこの角度になるように駆動部１５を制御する。
【００４９】
また、発光部１３から右側壁Ｈ３までの距離Ｌｄのみが天井Ｈ１までの距離Ｌｂより小さい場合、すなわち、発光部１３から右側壁Ｈ３までの距離Ｌｄが天井Ｈ１までの距離Ｌｂより小さく、発光部１３から左側壁Ｈ２までの距離Ｌｃが天井Ｈ１までの距離Ｌｂより大きい場合には、ステップＳ１９からステップＳ２１、Ｓ２２に進んで、左右方向に対しては、図１５に示すように、発光部１３が天井Ｈ１における左側壁Ｈ２側に傾くように駆動部１５を制御する。なお、発光部１３から右側壁Ｈ３までの距離Ｌｄが天井Ｈ１までの距離Ｌｂより小さく、発光部１３から左側壁Ｈ２までの距離Ｌｃが天井Ｈ１までの距離Ｌｂと同じである場合でも、同様にステップＳ２１、Ｓ２２に進んで、発光部１３が天井Ｈ１における左側壁Ｈ２側に傾くように駆動部１５を制御してもよい。しかし、これに限るものではなく、この場合に、後述するようなステップＳ２３と同様な動作を行う（天井Ｈ１の狙い位置が左側壁Ｈ２と右側壁Ｈ３との中央になるようにバウンス角度を設定する：図１６参照）よう構成してもよい。
【００５０】
このように、発光部１３から右側壁Ｈ３までの距離Ｌｄのみが天井Ｈ１までの距離Ｌｂより小さい場合に、ステップＳ２２に示すように、発光部１３による天井Ｈ１の照射位置が、天井Ｈ１までの距離Ｌｂと右側壁Ｈ３までの距離Ｌｄとの差の寸法分だけ左側壁Ｈ２側に傾くように（左右方向のバウンス角度θ３に傾斜するように）駆動部１５を制御すると、より好適である。この際、上下方向のバウンス角度θ５については、上記のように、図１２または図１３に示すように、好適なバウンス角度θ５を演算してこの角度になるように駆動部１５を制御する。
【００５１】
また、ステップＳ１６、Ｓ１９、Ｓ２１の何れの条件にも当てはまらない場合、すなわち、発光部１３から左側壁Ｈ２までの距離Ｌｃと、発光部１３から右側壁Ｈ３までの距離Ｌｄとの両方とも天井Ｈ１までの距離Ｌｂより小さい場合には、ステップＳ２１からステップＳ２３に進んで、左右方向に対しては、図１６に示すように、発光部１３が、天井Ｈ１における両側壁Ｈ２、Ｈ３から同じ距離となる箇所（左側壁Ｈ２と右側壁Ｈ３との中央位置である側壁Ｈ２から距離（Ｌｃ＋Ｌｄ）／２の箇所）に向くように駆動部１５を制御する。なお、上下方向のバウンス角度θ５については、上記のように、図１２または図１３に示すように、好適なバウンス角度θ５を演算してこの角度になるように駆動部１５を制御する。
【００５２】
上記構成において、バウンス撮影をする際に、自動バウンスモードを選択すると、まず、測距部としての距離センサ１９により被写体Ｔ、天井Ｈ１、左側壁Ｈ２、右側壁Ｈ３までの距離を測定する。そして、制御部１７により駆動部１５を制御して、主反射体としての天井Ｈ１の距離と、主反射体以外の反射体である左側壁Ｈ２および右側壁Ｈ３の距離との、被写体Ｔ以外の複数の距離に基づいて、発光部１３の角度が適したバウンス角度となるようにする。この結果、天井Ｈ１などの主反射体だけでなく、その他の反射体である左側壁Ｈ２および右側壁Ｈ３の反射度合いが被写体Ｔに対して均等になるように調整しながら、ストロボ光により被写体Ｔを良好に照射することが可能となる。
【００５３】
また、上記構成によれば、発光部１３から天井Ｈ１までの距離Ｌｂよりも一方の側壁（例えば、左側壁Ｈ２）までの距離Ｌｃが小さく、天井Ｈ１までの距離Ｌｂよりも他方の側壁（例えば、右側壁Ｈ３）までの距離Ｌｄが大きい場合に、図１４に示すように、発光部１３が天井Ｈ１における他方の側壁側（例えば、右側壁Ｈ３）に傾くように駆動部１５が制御される。
【００５４】
この構成により、左右に傾けることなく天井Ｈ１にストロボ光を反射させた場合と比較して、天井Ｈ１よりも近い一方の側壁（例えば、左側壁Ｈ２）による反射量を低減させるとともに、天井Ｈ２よりも遠い他方の側壁（例えば、右側壁Ｈ３）による反射量を増加させることができる。この結果、一方の側壁（例えば、左側壁Ｈ２）と他方の側壁（例えば、右側壁Ｈ３）との反射度合いが被写体に対して均等になるように調整されて、ストロボ光により被写体を良好に照射することが可能となる。
【００５５】
また、この場合に、上述したように、発光部１３による天井Ｈ１の照射位置が、天井Ｈ１までの距離Ｌｂと天井Ｈ１よりも近い一方の側壁（例えば、左側壁Ｈ２）までの距離Ｌｃとの差（Ｌｂ−Ｌｃ）の寸法分だけ他方の側壁側（例えば、右側壁Ｈ３）に傾くように駆動部１５を制御すると、天井Ｈ１までの距離Ｌｂよりも一方の側壁（例えば、左側壁Ｈ２）までの距離Ｌｃが小さいほど（差が大きいほど）、発光部１３による天井Ｈ１の照射位置を他方の側壁側（例えば、右側壁Ｈ３）に大きく傾けることとなる。この構成によれば、一方の側壁（例えば、左側壁Ｈ２）と他方の側壁（例えば、右側壁Ｈ３）との反射度合いが被写体Ｔに対して均等になるように、より良好に調整されて、ストロボ光により被写体を良好に照射することが可能となる。
【００５６】
なお、発光部１３による天井Ｈ１の照射位置を、天井Ｈ１までの距離Ｌｂと天井Ｈ１よりも近い一方の側壁（例えば、左側壁Ｈ２）までの距離Ｌｃとの差（Ｌｂ−Ｌｃ）の寸法分だけ他方の側壁側（例えば、右側壁Ｈ３）に傾くように駆動部１５を制御することに限るものではなく、発光部１３が天井Ｈ１における、天井Ｈ１までの距離Ｌｂよりも距離Ｌｄが大きい他方の側壁側（例えば、右側壁Ｈ３側）に傾くように駆動部１５を制御すればよい。例えば、天井Ｈ１までの距離Ｌｂと天井Ｈ１よりも近い一方の側壁（例えば、左側壁Ｈ２）までの距離Ｌｃとの差（Ｌｂ−Ｌｃ）を複数の範囲（例えば、０〜１ｍ（ただし、０ではない）、１〜２．５ｍ、２．５〜５ｍなど）で設定し、各設定範囲毎に、他方の側壁側（例えば、右側壁Ｈ３）に傾く位置（例えば、０．３ｍ、１ｍ、２ｍなど）や角度（例えば、５度、１０度、２０度など）を予め設定しておき、前記差（Ｌｂ−Ｌｃ）に応じて発光部１３を他方の側壁側（例えば、右側壁Ｈ３）に傾けてバウンス撮影するよう構成してもよい。また、発光部１３から天井Ｈ１までの距離Ｌｂよりも一方の側壁（例えば、左側壁Ｈ２）までの距離Ｌｃが小さく、天井Ｈ１までの距離Ｌｂよりも他方の側壁（例えば、右側壁Ｈ３）までの距離Ｌｄが大きい場合に、予め決められている所定角度だけ発光部１３を天井Ｈ１における他方の側壁側（例えば、右側壁Ｈ３）に傾くよう制御してもよい。
【００５７】
また、上記構成によれば、天井Ｈ１までの距離Ｌｂよりも左右の側壁Ｈ２、Ｈ３までのそれぞれの距離Ｌｃ、Ｌｄが小さい場合に、発光部１３を、天井Ｈ１における両側壁Ｈ２、Ｈ３から同じ距離となる箇所に自動的に向けることにより、左右に傾けることなく天井Ｈ１にストロボ光を反射させた場合と比較して、各側壁Ｈ２、Ｈ３の反射度合いが被写体Ｔに対して均等になるように、より良好に調整されて、ストロボ光により被写体Ｔを良好に照射することが可能となる。
【００５８】
また、上記構成によれば、左右の側壁Ｈ２、Ｈ３までの距離Ｌｃ、Ｌｄがともに天井Ｈ１までの距離Ｌｂ以上である場合または大きい場合には、発光部１３を、左右に傾けることなく、天井Ｈ１側に向くようにすることで、左右の側壁Ｈ２、Ｈ３による反射の影響が少ない場合でも、ストロボ光により被写体Ｔを良好に照射することが可能となる。
【００５９】
上記実施の形態においては、自動的にバウンス角度を決定する場合に、自動バウンスモード（被写体・天井・左右側壁測距モード）を選択することで、必ず、左側壁Ｈ２および右側壁Ｈ３の両方の側壁までの距離を測定してバウンス角度を決定する場合（自動バウンスモード）だけを述べたが、これに限るものではない。
【００６０】
例えば、測距部としての距離センサ１９により被写体Ｔおよび天井Ｈ１の距離に加えて、左側壁Ｈ２または右側壁Ｈ３の一方の側壁のみの距離を測定し、これらの距離の値に応じて、発光部１３の左右方向への傾斜角度（バウンス角度）を設定する片側側壁測距バウンスモードＳ３０を、上記した自動バウンスモード（被写体・天井・左右側壁測距モード）Ｓ１０に加えて選択可能に構成してもよい（図１７参照）。
【００６１】
例えば、片側側壁測距モードＳ３０が選択された場合には、左側壁Ｈ２と右側壁Ｈ３との何れの側壁までの距離を考慮するのかを利用者に入力させ（例えば、ストロボ装置１０の操作部１８に表示部を設けるとともにこの表示部に選択画面を表示させて選択させ）る。そして、ストロボ装置１０の制御部１７によって、天井Ｈ１までの距離Ｌｂよりも、選択した一方の側壁（左側壁Ｈ２または右側壁Ｈ３）までの距離（ＬｃまたはＬｄ）が大きい場合には、発光部１３が左右に傾けることなく天井に向くように駆動部１５を制御し、天井Ｈ１までの距離よりも一方の側壁（左側壁Ｈ２または右側壁Ｈ３）までの距離が小さい場合には、発光部１３が天井Ｈ１における一方の側壁（左側壁Ｈ２または右側壁Ｈ３）とは反対側の側壁（右側壁Ｈ３または左側壁Ｈ２）側に傾くように駆動部１５を制御する。
【００６２】
すなわち、図１８に示すように、被写体Ｔや天井Ｈ１までの距離を測定した（ステップＳ１１、Ｓ１２）後に、選択した側壁（左側壁Ｈ２または右側壁Ｈ３）までの距離を測定する（ステップＳ３１、Ｓ１３、Ｓ１４）。そして、ステップＳ１５において、被写体Ｔや天井Ｈ１までの距離が、予め設定されているバウンス撮影が有効となるような距離範囲（バウンス有効範囲）内であるかどうかを判定する。なお、ステップＳ１５において、被写体Ｔや天井Ｈ１との少なくとも一方までの距離がバウンス有効範囲外である場合には、バウンス角度を設定することなく終了し、例えば、エラー表示などで被写体Ｔや天井Ｈ１との距離がバウンス有効範囲外である旨を伝達し、通常撮影のままとする。
【００６３】
ステップＳ１５において、被写体Ｔや天井Ｈ１までの距離がバウンス有効範囲内であると判定された場合には、ステップＳ３２に進んで、左側壁Ｈ２までの距離を測定するモードを選択したかどうかを判定する。左側壁Ｈ２までの距離を測定するモードを選択した場合には、ステップＳ３２からステップＳ３３に進んで、発光部１３から左側壁Ｈ２までの距離Ｌｃが天井Ｈ１までの距離Ｌｂ以上であるかどうかを判定する。
【００６４】
ステップＳ３３において、発光部１３から左側壁Ｈ２までの距離Ｌｃが天井Ｈ１までの距離Ｌｂ以上である場合には、ステップＳ１７に進んで、図１９に示すように、発光部１３を、左右に傾けることなく、天井Ｈ１（上方）に向き（天井のＨ１の狙い位置を単なる上方に設定し）、かつ、被写体Ｔへの入射角度がバウンス撮影に適した傾斜設定角度で向くように演算し、この傾斜設定角度となるように駆動部１５を制御する（ステップＳ１８）。
【００６５】
一方、発光部１３から左側壁Ｈ２までの距離Ｌｃが天井Ｈ１までの距離Ｌｂより小さい場合には、ステップＳ３３からステップＳ２０に進んで、左右方向に対しては、図２０に示すように、発光部１３が天井Ｈ１における右側壁Ｈ３側に傾くように駆動部１５を制御する。
【００６６】
このように、発光部１３から左側壁Ｈ２までの距離Ｌｃが天井Ｈ１までの距離Ｌｂより小さい場合に、ステップＳ２０に示すように、発光部１３による天井Ｈ１の照射位置が、天井Ｈ１までの距離Ｌｂと左側壁Ｈ２までの距離Ｌｃとの差の寸法分だけ右側壁Ｈ３側に傾くように（左右方向のバウンス角度θ４に傾斜するように）駆動部１５を制御すると、より好適である。なお、この際、上下方向のバウンス角度θ５については、上記のように、図１２または図１３に示すように、好適なバウンス角度θ５を演算してこの角度になるように駆動部１５を制御する。
【００６７】
一方、右側壁Ｈ３までの距離を測定するモードを選択していた場合には、ステップＳ３２からステップＳ３４に進んで、発光部１３から右側壁Ｈ３までの距離Ｌｄが天井Ｈ１までの距離Ｌｂ以上であるかどうかを判定する。
【００６８】
ステップＳ３４において、発光部１３から右側壁Ｈ３までの距離Ｌｄが天井Ｈ１までの距離Ｌｂ以上である場合には、ステップＳ１７に進んで、図２１に示すように、発光部１３を、左右に傾けることなく、天井Ｈ１（上方）に向き（天井のＨ１の狙い位置を単なる上方に設定し）、かつ、被写体Ｔへの入射角度がバウンス撮影に適した傾斜設定角度で向くように演算し、この傾斜設定角度となるように駆動部１５を制御する（ステップＳ１８）。
【００６９】
一方、発光部１３から右側壁Ｈ３までの距離Ｌｄが天井Ｈ１までの距離Ｌｂより小さい場合には、ステップＳ３４からステップＳ２２に進んで、左右方向に対しては、図２２に示すように、発光部１３が天井Ｈ１における左側壁Ｈ２側に傾くように駆動部１５を制御する。
【００７０】
このように、発光部１３から右側壁Ｈ３までの距離Ｌｄが天井Ｈ１までの距離Ｌｂより小さい場合に、ステップＳ２２に示すように、発光部１３による天井Ｈ１の照射位置が、天井Ｈ１までの距離Ｌｂと右側壁Ｈ３までの距離Ｌｄとの差の寸法分だけ左側壁Ｈ２側に傾くように（左右方向のバウンス角度θ４に傾斜するように）駆動部１５を制御すると、より好適である。なお、この際、上下方向のバウンス角度θ５については、上記のように、図１２または図１３に示すように、好適なバウンス角度θ５を演算してこの角度になるように駆動部１５を制御する。
【００７１】
この構成によっても、発光部１３から天井Ｈ１までの距離Ｌｂよりも一方の側壁（例えば、左側壁Ｈ２）までの距離Ｌｃが小さい場合に、図２０や図２２に示すように、発光部１３が天井Ｈ１における他方の側壁側（例えば、右側壁Ｈ３）に傾くように駆動部１５が制御されるので、発光部１３を左右に傾けることなく天井Ｈ１にストロボ光を反射させた場合と比較して、天井Ｈ１よりも近い一方の側壁による反射量を低減させるとともに、天井Ｈ１よりも遠い他方の側壁による反射量を増加させることができる。この結果、一方の側壁と他方の側壁との反射度合いが被写体に対して均等になるように調整されて、ストロボ光により被写体を良好に照射することが可能となる。
【００７２】
また、上記構成によれば、一方の側壁のみの距離を測定し、他方の側壁については距離を測定しなくても済むため、その分だけ測距動作を省くことができ、左側壁Ｈ２および右側壁Ｈ３の両側の距離を測定する場合よりも短い時間でバウンス撮影することができる。
【００７３】
上記実施の形態では、左右の側壁Ｈ２、Ｈ３も含めながら天井Ｈ１を中心として（天井Ｈ１が主反射体である場合の）バウンス撮影を行う場合（自動バウンスモードＳ１０および片側側壁測距バウンスモードＳ３０）を述べたが、これに加えて、側壁（左側壁Ｈ２または右側壁Ｈ３）を中心とする（左側壁Ｈ２または右側壁Ｈ３が主反射体である場合の）側壁バウンスモード（被写体・天井・左側壁または右側壁測距モード）Ｓ４０での撮影をも行うことができるよう構成されていてもよい。この場合には、操作部１８を操作することでこの側壁バウンスモードＳ４０を選択可能に構成されている。また、バウンス撮影が有効となるような被写体Ｔや側壁までの距離（有効最大距離）が予め設定されている。
【００７４】
この場合には、左側壁Ｈ２または右側壁Ｈ３の何れを主反射体にするのかを選択することで、測距部としての距離センサ１９により、左側壁Ｈ２および右側壁Ｈ３の少なくとも一方の側壁との何れかからなる主反射体の距離と、天井Ｈ１からなる副反射体の距離Ｌｂと、を測定し、制御部１７は、主反射体である一方の側壁までの距離と天井Ｈ１までの距離Ｌｂとに応じて、発光部１３が一方の側壁（左側壁Ｈ２または右側壁Ｈ３）において天井Ｈ１側にも傾けることができるように駆動部１５を制御するよう構成されている。
【００７５】
この側壁バウンスモードＳ４０が選択された場合には、具体的には、図２３に示すように、被写体Ｔまでの距離を測定した（ステップＳ１１）後に、主反射体として選択された側壁（左側壁Ｈ２または右側壁Ｈ３）までの距離を測定する（ステップＳ４１、Ｓ１３、Ｓ１４）。そして、ステップＳ１５において、被写体Ｔや選択された側壁、および天井Ｈ１までの距離が、予め設定されているバウンス撮影が有効となるような距離範囲（バウンス有効範囲）内であるかどうかを判定する。なお、ステップＳ１５において、被写体Ｔや何れかの反射体までの距離がバウンス有効範囲外である場合には、バウンス角度を設定することなく終了し、例えば、エラー表示などで被写体Ｔや天井Ｈ１、側壁Ｈ２、Ｈ３との距離がバウンス有効範囲外である旨を伝達し、通常撮影のままとする。
【００７６】
ステップＳ１５において、被写体Ｔや全ての反射体までの距離がバウンス有効範囲内であると判定された場合には、ステップＳ４２に進んで、予め主反射体として選択された側壁の情報に基づいて、主反射体とする側壁を判定する（ステップＳ４２）。例えば、左側壁Ｈ２を主反射体とする場合には、ステップＳ４２からステップＳ４３に進んで、垂直方向のバウンス設定角度も考慮しながら、被写体Ｔへの左側壁Ｈ２からの入射角度が設定されたバウンス角度となるようにバウンス角度を計算する（ステップＳ１８）。
【００７７】
例えば、天井Ｈ１までの距離Ｌｂと被写体Ｔまでの距離Ｌａとに応じて、天井Ｈ１までの距離Ｌｂが大きいほど、上方に傾けるバウンス角度が大きくなるように、上方へ傾けるバウンス角度θ７（図２５参照）を設定する。また、左右方向へのバウンス角度θ６については、主反射体としての左側壁Ｈ２までの距離Ｌｃと被写体Ｔまでの距離Ｌａとに応じて、被写体Ｔへの入射角度が所定の基準角度（例えば約３０度）θｋとなるようにバウンス角度θ６を決定する（図２４参照）と好適である。なお、これに限るものではなく、ストロボ光の左側壁Ｈ２への入射角と、左側壁Ｈ２から被写体Ｔへの出射角とが同じになるような角度としてもよい。このようにして、垂直方向のバウンス設定角度も考慮しながら、被写体Ｔへの左側壁Ｈ２からの入射角度を設定する。
【００７８】
また、右側壁Ｈ３を主反射体とする場合には、ステップＳ４２からステップＳ４４に進んで、垂直方向のバウンス設定角度も考慮しながら、被写体Ｔへの右側壁Ｈ３からの入射角度が設定されたバウンス角度となるようにバウンス角度を計算する（ステップＳ１８）。
【００７９】
例えば、天井Ｈ１までの距離Ｌｂと被写体Ｔまでの距離Ｌａとに応じて、天井Ｈ１までの距離Ｌｂが大きいほど、上方に傾けるバウンス角度が大きくなるように、上方へ傾けるバウンス角度θ７を設定する。また、左右方向へのバウンス角度θ６については、主反射体としての右側壁Ｈ３までの距離Ｌｄと被写体Ｔまでの距離Ｌａとに応じて、被写体Ｔへの入射角度が所定の基準角度（例えば約３０度）θｋとなるようにバウンス角度θ６を決定すると好適である。なお、これに限るものではなく、ストロボ光の右側壁Ｈ３への入射角と、右側壁Ｈ３から被写体Ｔへの出射角とが同じになるような角度としてもよい。このようにして、垂直方向のバウンス設定角度も考慮しながら、被写体Ｔへの右側壁Ｈ３からの入射角度を設定する。
【００８０】
この構成により、主として、左側壁Ｈ２または右側壁Ｈ３にストロボ光を反射させてストロボ撮影する場合に、天井Ｈ１からの反射光をも利用して、主に反射させる側の側壁と逆方向に被写体Ｔの影ができることを抑えながら、ストロボ光により被写体Ｔを良好に照射することが可能となる。
【００８１】
また、上記構成によれば、図２４に示すように、被写体Ｔへの入射角度が所定の基準角度（例えば約３０度）となるように主反射体へのバウンス角度を決定することにより、ストロボ光の天井Ｈ１への入射角と、天井Ｈ１から被写体Ｔへの出射角とが同じになるような角度とした場合よりも、どのような撮影環境でもバウンス撮影の効果を最大限に発揮できる利点がある。つまり、主反射体となる側壁への入射角と反射角とが同じとなるように傾斜させた場合では、被写体Ｔや主反射体となる側壁との距離によって入射角度が可変となる。このように、距離に応じて、入射角度が小さくなったり大きくなったりすると、バウンス撮影時の側方からの光の割合が変化するため、バウンス撮影の効果も変化する。被写体Ｔへの入射角が小さくなりすぎると、最悪の場合には直射に近い撮影結果となってしまい、バウンス撮影の効果が殆どなくなるおそれがある。これに対して、図２４に示すように、入射角度を常にバウンス撮影に最適と思われる傾斜角度となるように（例えば、被写体Ｔへの入射角度が基準傾斜角度である３０度となるように）制御することで、どのような撮影環境でもバウンス撮影の効果を最大限に発揮できる。
【００８２】
なお、上記実施の形態では、何れかの側壁を主反射体とする場合には、垂直方向のバウンス設定角度も考慮しながら、被写体Ｔへの前記側壁（例えば左側壁Ｈ２）からの入射角度が設定されたバウンス角度となるようにバウンス角度を設定した場合を述べたが、これに限るものではない。例えば、天井Ｈ１までの距離Ｌｂが主反射体となる一方の側壁までの距離Ｈ２、Ｈ３よりも小さい場合だけ、発光部１３が一方の側壁Ｈ２、Ｈ３において天井Ｈ１側にも傾くように駆動部１５を制御してもよい。
【００８３】
この場合には、図２６に示すように、上記実施の形態のステップＳ４２において、例えば、左側壁Ｈ２が主反射体である場合に、ステップＳ４２からステップＳ４５に進んで、天井Ｈ１までの距離Ｌｂが主反射体となる左側壁Ｈ２までの距離Ｌｃよりも小さい場合に、発光部１３が左側壁Ｈ２において天井Ｈ１側にも傾くように駆動部１５を制御する（ステップＳ４６および図２５参照）。一方、天井Ｈ１までの距離Ｌｂが主反射体となる左側壁Ｈ２までの距離Ｌｃ以上である場合には、発光部１３が左側壁Ｈ２において天井Ｈ１側に傾けることなく（垂直方向への設定角度を考慮せずに）駆動部１５を制御する（ステップＳ４７）。
【００８４】
また、右側壁Ｈ３が主反射体である場合には、ステップＳ４２からステップＳ４８に進んで、天井Ｈ１までの距離Ｌｂが主反射体となる右側壁Ｈ３までの距離Ｌｄよりも小さい場合に、発光部１３が右側壁Ｈ３において天井Ｈ１側にも傾くように駆動部１５を制御する（ステップＳ４９）。一方、天井Ｈ１までの距離Ｌｂが主反射体となる右側壁Ｈ３までの距離Ｌｄ以上である場合には、発光部１３が右側壁Ｈ３において天井Ｈ１側に傾けることなく（垂直方向への設定角度を考慮せずに）駆動部１５を制御する（ステップＳ５０）。
【００８５】
この構成によれば、側壁を主反射体とする場合でも、天井Ｈ１までの距離Ｌｂが主反射体となる一方の側壁までの距離Ｈ２、Ｈ３よりも小さい場合、すなわち、天井Ｈ１によるバウンス光の影響が大きい場合のみ天井Ｈ１側にも傾けることができて、ストロボ光により被写体Ｔを良好に照射することが可能となる。
【００８６】
また、上記実施の形態では、いずれも天井Ｈ１がある空間でのバウンス撮影の場合を述べたが、天井Ｈ１がなかったり、天井Ｈ１までの距離が非常に大きかったりした場合には、図２４に示すように、被写体Ｔへの入射角度が所定の基準角度（例えば約３０度）となるように主反射体である側壁へのバウンス角度を決定すると好適である（側壁単独バウンスモード）。すなわち、図２４に示すように、入射角度を常にバウンス撮影に最適と思われる傾斜角度となるように（例えば、被写体Ｔへの入射角度が基準傾斜角度である３０度となるように）制御することで、どのような撮影環境でもバウンス撮影の効果を最大限に発揮できる。
【００８７】
なお、上記実施の形態における側壁単独バウンスモード以外の例では、天井や左右の側壁がある空間でバウンス撮影する場合には、何れも主反射体とその他の反射体との複数の反射体に対して考慮する場合を述べたが、これに限るものではない。例えば、複数の反射体がある空間でバウンス撮影する場合でも、天井のみで反射するとみなして、左右に傾斜させない天井バウンス撮影モードを選択可能に構成したり、左側壁または右側壁のみで反射するとみなして、上方に傾斜させない前記側壁単独バウンスモードを選択可能に構成したりしてもよい。
【符号の説明】
【００８８】
１      撮像装置
３      撮影機能部
４      制御部
５      表示部
６      操作部
７      周辺Ｉ／Ｆ（インターフェイス）
８      シャッタ
１０    ストロボ装置
１１    ストロボ本体
１２    閃光放電管
１３    発光部
１４    可変機構
１５    駆動部
１６    角度検出部
１７    制御部
１８    操作部
１９    距離センサ（測距部）
２０    コンデンサ（電力蓄積体）
２１    演算部
２２    記憶部
【図１】
2020122845.tif 000003
【図２】
2020122845.tif 000004
【図３】
2020122845.tif 000005
【図４】
2020122845.tif 000006
【図５】
2020122845.tif 000007
【図６】
2020122845.tif 000008
【図７】
2020122845.tif 000009
【図８】
2020122845.tif 000010
【図９】
2020122845.tif 000011
【図１０】
2020122845.tif 000012
【図１１】
2020122845.tif 000013
【図１２】
2020122845.tif 000014
【図１３】
2020122845.tif 000015
【図１４】
2020122845.tif 000016
【図１５】
2020122845.tif 000017
【図１６】
2020122845.tif 000018
【図１７】
2020122845.tif 000019
【図１８】
2020122845.tif 000020
【図１９】
2020122845.tif 000021
【図２０】
2020122845.tif 000022
【図２１】
2020122845.tif 000023
【図２２】
2020122845.tif 000024
【図２３】
2020122845.tif 000025
【図２４】
2020122845.tif 000026
【図２５】
2020122845.tif 000027
【図２６】
2020122845.tif 000028